(57)【要約】【課題】灯具を取り付ける受け部材をアダプターに対して固定することができるとともに回転を防止することができる灯具取付部材及び照明柱を提供する。【解決手段】金属管柱２の上端部に取り付けられる管状のアダプター４と、このアダプターの外面に嵌合することができる受け部材１０とからなる灯具取付金具１であって、受け部材に水平方向の雌ねじ孔２５を、そして、アダプターに水平方向の孔２６を、それぞれ少なくとも１個形成するとともに、受け部材の孔とアダプター孔を水平方向に貫くボルト２２を少なくとも１本締め付けることによって、受け部材をアダプターに対して固定することができるとともに受け部材がアダプターに対して回転することを防止することができることを特徴とする灯具取付金具及び照明柱。【選択図】図３
2008027723.tif 000002
【特許請求の範囲】
【請求項１】
金属管柱の上端部に取り付けられる管状のアダプターと、このアダプターの外面に嵌合することができる受け部材とからなる灯具取付金具であって、受け部材に水平方向の雌ねじ孔を、そして、アダプターに水平方向の孔を、それぞれ少なくとも１個形成するとともに、受け部材の雌ねじ孔とアダプターの孔を水平方向に貫くボルトを少なくとも１本締め付けることによって、受け部材をアダプターに対して固定することができるとともに受け部材がアダプターに対して回転することを防止することができることを特徴とする灯具取付金具。
【請求項２】
受け部材の雌ねじ孔とアダプターの孔を貫くボルトのうち少なくとも１本は、アダプターの孔とは対面のアダプター内面に届くまで締め付けられていることを特徴とする、請求項１に記載の灯具取付金具。
【請求項３】
受け部材には雌ねじ孔の複数個が縦方向及び／又は円周方向に配置されていることを特徴とする、請求項１又は２に記載の灯具取付金具。
【請求項４】
受け部材の雌ねじ孔とアダプターの孔を貫くボルトの複数個が縦方向に配置されていることを特徴とする、請求項１から３までのいずれかに記載の灯具取付金具。
【請求項５】
アダプターが金属管柱と一体に形成されてなることを特徴とする、請求項１から４までのいずれかに記載の灯具取付金具。
【請求項６】
灯具を固定するためのワイヤーの一端を、受け部材の雌ねじ孔とアダプターの孔を貫くボルトのうち少なくとも１本に通して固定することを特徴とする、請求項１から５までのいずれかに記載の灯具取付金具。
【請求項７】
請求項１から６までのいずれかに記載の灯具取付金具に、直接に又はアームを介して１個又は複数個の灯具を取り付けてなる照明柱。
【発明の詳細な説明】
【技術分野】
【０００１】
本発明は、自動車道や街路、公園等に設置する照明灯などの灯具取付金具及び照明柱に関する。
【背景技術】
【０００２】
自動車道や街路、公園を照らす照明灯などの灯具は、高さ６〜１５ｍ程度の金属管柱を基礎上に立設し、その先端に１個又は複数個の照明灯などの灯具が取り付けられる。このように、自動車道や街路、公園等に立設され、照明灯などの灯具が取り付けられた金属管柱が照明柱である。
【０００３】
この金属管柱は、通常、その下部の径が１３０〜４００ｍｍ程度と大きく、上方に向けて、徐々にあるいは段階的に細径となるように形成されている。なお、金属管柱の全体形状によって、直線型と曲線型の２種類がある。直線型の金属管柱の場合、金属管柱の先端には、通常、金属管柱の上端部に取り付けられる管状のアダプターと、このアダプターの外面に上方から嵌合することができる筒状又は箱状の受け部材からなる灯具取付金具が設けられ、この灯具取付金具に、直接に又はアームを介して照明灯等の灯具が１個又は複数個取り付けられる。そして、曲線型の金属管柱の場合にも、嵌合方向が異なるだけで、通常、管状のアダプターとこのアダプターの外面に嵌合することができる筒状又は箱状の受け部材からなる灯具取付金具が金属管柱の先端に設けられている。
【０００４】
照明柱を構成する金属管柱の先端に取り付けられる管状のアダプターは、通常、外径が６０．５ｍｍ程度かつ長さが１２０ｍｍ程度の金属管からなり、円形又は多角形の断面形状を有する。従来、溶接等によって金属管柱の先端に接合されてきたが、最近ではスピニング加工等により金属管柱との一体成形により形成することが提案されている。また、この管状のアダプターの外面に嵌合する受け部材には、その側壁に複数個の雌ねじ孔が穿たれていて、この雌ねじ孔にボルトを挿入し、アダプターの外面にボルトの先を締め付けることによって、受け部材をアダプターに固定することがなされている。そして、この受け部材には、直接に又はアームを介して照明灯等の灯具が１個又は複数個取り付けられる。
【０００５】
図６は、箱状の受け部材をアダプターに固定するときの一例（従来例）であり、(a)が正面図、(b)が(a)のＡ−Ａ矢視の拡大垂直断面図（右側面図）、そして、(c)が(b)のＢ−Ｂ矢視の水平断面図（上面図）である。
【０００６】
照明柱を構成する金属管柱２の先端には、溶接Ｗによって円管状の短いアダプター４が接合されている。そして、このアダプター４の外面に、水平方向に穿たれた雌ねじ孔２５が側壁に２個上下縦に配置されている箱状の受け部材１０を嵌合させる。その後、箱状の受け部材１０の側壁に穿たれた２個の雌ねじ孔２５にそれぞれボルト２２を挿入し、アダプター４の外面にボルト２２の先を締め付け受け部材１０をアダプター４に固定している。そして、灯具５がアーム（図示せず）を介して、箱状の受け部材１０の側面に１個又は２個設けられる。ここでは、受け部材１０のアダプター４への固定を確実にするために、緩み止めナット２１を用いているが、用いない場合もある。
【０００７】
なお、図６の(b)と(c)においては、灯具５は図示していない。
【０００８】
照明柱の灯具取付金具に言及した公知文献としては、たとえば、次に示す特許文献１がある。ここには、曲線型の照明柱を構成する金属管柱の先端部をスピニング加工によって細径に加工して管状のアダプターを一体に形成し、ここに灯具を取り付けることが記載されている。ただし、灯具取付具の記載はあるものの、受け部材についての記載はない。
【０００９】
【特許文献１】特開平８−２９３２０２号公報
【発明の開示】
【発明が解決しようとする課題】
【００１０】
このように、従来の照明柱では、照明柱を構成する金属管柱の先端に接合された又は一体に形成された管状のアダプターの外面に筒状又は箱状の形状を有する受け部材を嵌合し、受け部材の側壁に穿たれた雌ねじ孔にボルトを挿入し、アダプターの外面にボルトの先を締め付けることによって、受け部材をアダプターに固定することがなされてきた。そして、この受け部材には、直接に又はアームを介して、照明灯等の灯具が１個又は複数個取り付けられてきた。最近では、照明灯だけでなく防犯カメラの取り付けも始まっている。
【００１１】
しかしながら、アダプターと受け部材とは、受け部材の側壁に穿たれた雌ねじ孔にボルトを挿入し、アダプターの外面にボルトの先を締め付けることで固定されている。すなわち、その固定はボルトをアダプターの外面に締め付けたときの摩擦力によるものである。したがって、その摩擦力を上回る力が受け部材に作用したときは、受け部材はそこに取り付けられた灯具とともに回転し、最悪の場合は受け部材とそこに取り付けられた灯具がアダプターから外れ、脱落するおそれがある。また、その摩擦力を上回る力が受け部材に作用しなくても、道路を走行する自動車や地震等による振動に起因して、ボルトに緩みが生じると、締め付けによる摩擦力がなくなるので、同様に、受け部材はそこに取り付けられた灯具とともに回転し、最悪の場合は受け部材とそこに取り付けられた灯具がアダプターから外れ、脱落するおそれがある。
【００１２】
特に、直線型の金属管柱柱からなる照明柱の場合には、灯具の重心位置が金属管柱の軸線と離れているので、自動車が金属管柱に衝突することによって衝撃を受けると、灯具に慣性力が働き、金属管柱を中心とする回転力が働きやすくなる。さらに、衝突による変形後の復元力によって、金属管柱は衝突とは反対方向に揺り戻されるので、同様にして、灯具に慣性力が働き、金属管柱を中心とする回転力が働きやすくなる。
【００１３】
図７に、自動車が照明柱に衝突したときの金属管柱の衝突前（実線）と衝突後（破線）の動きを示す。(a)が照明柱全体の側面図、(b)が照明柱の先端部分の上面である。
【００１４】
自動車３０が照明柱の下部に矢印の方向に衝突すると、照明柱を構成する金属管柱２の先端部分は矢印の衝突方向に振れ、その結果、金属管柱２の軸線と離れた灯具５の重心に慣性力が働き、その灯具５内の受け部材１０はアダプターの周りに回転しやすくなる。さらに、衝突による変形後の復元の際に、金属管柱２は衝突とは反対方向に揺り戻されるので、同様にして、灯具５に慣性力が働き、その灯具５内に取り付ける受け部材１０はアダプターの周りに回転しやすくなる。
【００１５】
また、このような大きな回転力がボルトの先端に作用すると、ボルトの先端に曲げ応力が発生するので、ボルトの先端が容易に変形し易くなるが、ボルトの先端が変形してしまうと、ボルトの先端とアダプター外面の間に隙間ができる。したがって、ボルトをアダプターの外面に締め付けたときの摩擦力がなくなるので、灯具とその灯具を取り付ける受け部材はアダプターの周りに回転することになる。
【００１６】
本発明は、上記の従来の問題点を解決して、灯具を取り付ける受け部材をアダプターに対して固定することができるとともに回転を防止することができる灯具取付部材及び照明柱を提供することを目的とする。
【課題を解決するための手段】
【００１７】
本発明者らは、灯具を取り付ける受け部材をアダプターに対して固定することができるとともに回転を防止することができる灯具取付部材及び照明柱を提供すべく、種々の検討を重ねた。その結果、次の(a)〜(f)の知見を得た。
【００１８】
(a) 受け部材の側壁に雌ねじ孔を形成し、この雌ねじ孔にボルトを挿入してアダプターの外面に締め付けたときの摩擦力だけでは、上述のとおり、アダプターと受け部材を固定しかつ受け部材の回転を防止するには不十分であることに鑑みると、全く別の方法で、アダプターと受け部材を固定しかつ受け部材の回転を防止する必要がある。
【００１９】
(b) アダプターと受け部材を固定しかつ受け部材の回転を防止するには、受け部材の側壁に雌ねじ孔を形成するとともにアダプターの側壁に孔を形成し、受け部材の雌ねじ孔とアダプターの孔をボルトで貫けば、受け部材はアダプターに固定されるとともに、受け部材がアダプターの周りに回転することを防止することができる。なお、アダプターの孔はアダプターの側壁を貫く貫通孔であればよく、ねじは切ってあってもなくてもよい。
【００２０】
受け部材の雌ねじ孔とアダプターの孔を貫くボルトの本数には、特に制限はなく、１本だけでもよいが、２本以上でもよい。ボルトの本数が多いと、その分、受け部材の固定と回転防止をより確実にすることができるとともに、アダプターと受け部材の強度を増すことができる。ただし、アダプターの内部には電力線や通信線等のケーブル線を通したり、灯具を固定するためのワイヤーを組み込んだりするためのスペースを確保しておく必要があるので、受け部材の雌ねじ孔とアダプターの孔を貫くボルトの本数を増やすのには限界がある。
【００２１】
また、ボルトを複数本用いる場合、すべてのボルトで受け部材の雌ねじ孔とアダプターの孔を貫いて固定してもよいが、必ずしもすべてのボルトで受け部材の雌ねじ孔とアダプターの孔を貫く必要はない。ただし、複数本のボルトのうち、少なくとも１本のボルトは、受け部材の雌ねじ孔とアダプターの孔を貫き、受け部材の固定と回転防止の機能を持たせる必要がある。この際、その他のボルトは受け部材の側壁に穿たれた雌ねじ孔に挿入し、アダプターの外面にボルトの先を締め付けることによって、受け部材をアダプターに固定してもよい。すなわち、ボルトの形状や求められるアダプターと受け部材の強度に応じて、一部のボルトには受け部材の固定機能だけを求めてもよい。
【００２２】
なお、いずれの機能を求める場合でも、ボルトを締め付ける際には、ボルトの緩みが生じないように、緩み止めナットを用いるなど、緩み止めの措置を取っておくことが好ましい。
【００２３】
(c) 受け部材の雌ねじ孔とアダプターの孔を１本又は２本以上のボルトで貫いて固定して、ボルトに受け部材の固定と回転防止の機能を持たせる際に、その少なくとも１本のボルトの先をアダプターの対向する内面まで届かせて、その内面にボルトの先を締め付けることもできる。このように、少なくとも１本のボルトの先をアダプターの対向する内面まで届かせて、その内面にボルトの先を締め付けることによって、受け部材はさらに堅固に固定されるので、受け部材をさらにアダプターに固定することが好ましい。
【００２４】
(d) ボルトを複数本用いる場合の雌ねじ孔の配置については、特に制限はなく、受け部材の側壁に雌ねじ孔の複数個を縦方向及び／又は円周方向のいずれに配置してもよい。受け部材の側壁に雌ねじ孔の複数個を縦方向及び／又は円周方向に配置すると、受け部材の固定と回転防止をより確実にすることができるとともに、アダプターと受け部材の強度を増すことができる。
【００２５】
ただし、アダプターの縦方向の長さによる制約により、受け部材の側壁に雌ねじ孔の多数個を縦方向に配置することには限界がある。したがって、アダプターの縦方向の長さを短くしたいときは、受け部材の側壁に設けられる複数個の雌ねじ孔のうちの一部又は全部を円周方向に配置してもよい。
【００２６】
この場合、上述したとおり、すべてのボルトで受け部材の雌ねじ孔とアダプターの孔を貫いて固定してもよいが、必ずしもすべてのボルトで受け部材の雌ねじ孔とアダプターの孔を貫く必要はない。ただし、複数本のボルトのうち、少なくとも１本のボルトは、受け部材の雌ねじ孔とアダプターの孔を貫き、受け部材の固定と回転防止の機能を持たせる必要がある。この際、その他のボルトは受け部材の側壁に穿たれた雌ねじ孔に挿入し、アダプターの外面にボルトの先を締め付けることによって、受け部材をアダプターに固定してもよい。すなわち、ボルトの形状や求められるアダプターと受け部材の強度に応じて、一部のボルトには受け部材の固定機能だけを求めてもよい。受け部材の雌ねじ孔とアダプターの孔を貫くボルトの本数や配置は、ボルトの形状や求められるアダプターと受け部材の強度に応じて、適宜設定することができる。なお、複数本のボルトで、受け部材の雌ねじ孔とアダプターの孔を貫いて締め付ける場合には、受け部材の雌ねじ孔とアダプターの孔はアダプターと受け部材の両方の側壁に縦方向に配置するのが好ましい。
【００２７】
(e) アダプターは、溶接等によって金属管柱の先端に接合してもよいが、溶接等によって接合した場合には、金属管柱との接合部に受け部材の回転力が作用するので、その応力の程度によっては破損するおそれがある。したがって、スピニング加工等によりアダプターを金属管柱と一体に形成することが望ましい。
【００２８】
(f) アダプターの内部には、電力線や通信線等のケーブル線を通したり、灯具を固定するためのワイヤーを組み込んだりするが、受け部材の雌ねじ孔とアダプターの孔を貫くボルトのうち少なくとも１本にこのワイヤーの一端を通すことで、灯具を固定することができる。
【００２９】
本発明は上記の知見に基づいて完成したものであり、その要旨は次の(1)〜(6)のいずれかの灯具取付金具及び次の(7)の照明柱にある。以下、これらを総称して、「本発明」ということがある。
【００３０】
(1) 金属管柱の上端部に取り付けられる管状のアダプターと、このアダプターの外面に嵌合することができる受け部材とからなる灯具取付金具であって、受け部材に水平方向の雌ねじ孔を、そして、アダプターに水平方向の孔を、それぞれ少なくとも１個形成するとともに、受け部材の雌ねじ孔とアダプターの孔を水平方向に貫くボルトを少なくとも１本締め付けることによって、受け部材をアダプターに対して固定することができるとともに受け部材がアダプターに対して回転することを防止することができることを特徴とする灯具取付金具。
【００３１】
(2) 受け部材の雌ねじ孔とアダプターの孔を貫くボルトのうち少なくとも１本は、アダプターの孔とは対面のアダプター内面に届くまで締め付けられていることを特徴とする、上記(1)の灯具取付金具。
【００３２】
(3) 受け部材には雌ねじ孔の複数個が縦方向及び／又は円周方向に配置されていることを特徴とする、上記(1)又は(2)の灯具取付金具。
【００３３】
(4) 受け部材の雌ねじ孔とアダプターの孔を貫くボルトの複数個が縦方向に配置されていることを特徴とする、上記(1)〜(3)のいずれかの灯具取付金具。
【００３４】
(5) アダプターが金属管柱と一体に形成されてなることを特徴とする、上記(1)〜(4)のいずれかの灯具取付金具。
【００３５】
(6) 灯具を固定するためのワイヤーの一端を、受け部材の雌ねじ孔とアダプターの孔を貫くボルトのうち少なくとも１本に通して固定することを特徴とする、上記(1)〜(5)のいずれかの灯具取付金具。
【００３６】
(7) 上記(1)〜(6)のいずれかの灯具取付金具に、直接に又はアームを介して１個又は複数個の灯具を取り付けてなる照明柱。
【発明の効果】
【００３７】
本発明によれば、灯具を取り付ける受け部材をアダプターに対して固定することができるとともに回転を防止することができる灯具取付部材及び照明柱を提供することができる。
【発明を実施するための最良の形態】
【００３８】
以下、図面を用いて、本発明に係る灯具取付金具及び照明柱を説明する。なお、本発明は、以下に述べる実施例に限定されるものではない。
【実施例１】
【００３９】
図１は、本発明に係る灯具取付金具の一例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【００４０】
灯具取付金具１は、金属管柱２の上端部に取り付けられる管状のアダプター４と、このアダプターの外面に嵌合することができる受け部材１０とからなる。
【００４１】
アダプター４は円管形状を有していて、照明柱を構成する金属管柱２の先端に、溶接Ｗによって接合されている。このアダプター４の側壁には、水平方向に穿たれた孔２６が１個穿たれている。
【００４２】
受け部材１０は上面に蓋を有する円筒形状をしており、アダプター４の外面に上方から嵌合することができる外径を有する。この受け部材１０の側壁には、水平方向に穿たれた雌ねじ孔２５が側壁に上下に２個縦に配置されている。
【００４３】
そして、上記アダプター４の側壁に穿たれた孔２６と上記受け部材１０の側壁に穿たれた雌ねじ孔２５とを位置合わせして、上記アダプター４の外面に上記受け部材１０を上方から嵌合させる。そして、上記アダプター４の側壁に穿たれた孔２６と、上記受け部材１０の側壁に穿たれた雌ねじ孔のうちの下側の孔２５を貫いてボルト２３を挿入し、ボルト２３の先がアダプター４の対面側のアダプター内面に届くまで、ボルト２３を締め付け、緩み止めナット２１を締め付けることによって、受け部材１０をアダプター４に固定する。さらに、上記受け部材１０の側壁に穿たれた雌ねじ孔のうちの上側の孔２５にボルト２２を挿入し、アダプターの外面にボルト２２の先を締め付け、緩み止めナット２１を締め付けることによって、受け部材１０をアダプター４に固定する。なお、ここでは、受け部材１０をアダプター４に固定する際に、緩み止めナット２１を用いて締め付けているが、緩み止めナット２１は必要に応じて用いればよく、必ずしも緩み止めナット２１を用いなくてもよい。
【００４４】
このようにして、下側のボルト２３によって受け部材１０をアダプター４に固定するとともに回転を防止し、さらに、上側のボルト２２によって受け部材１０をアダプター４に固定する。
【００４５】
なお、必要に応じて、灯具を固定するためのワイヤー４０の一端を、この下側のボルト２３に通して固定してもよい。
【００４６】
このように、灯具を取り付ける受け部材をアダプターに対して固定することができるとともに回転を防止することができるので、自動車の衝突によって受け部材に回転力が作用しても、受け部材が回転したり、脱落したりするおそれはなくなる。また、受け部材に回転力が作用しても、ボルトの先端は変形しにくいため、ボルトの先端とアダプター外面の間に隙間ができにくくなる。さらに、道路を走行する自動車や地震等による振動があっても、ボルトは緩みにくいので、受け部材が回転したり、脱落したりするおそれはなくなる。
【００４７】
なお、ここでは、アダプター４は円管形状を有しているが、金属管柱２の先端に溶接Ｗによって接合できる管形状であればよく、たとえば、矩形管等の多角形管の形状を有していても構わない。また、アダプター４の側壁には、水平方向の孔２６が１個穿たれているが、２個以上の孔２６が縦方向及び／又は周方向に穿たれていても構わない。
【００４８】
また、ここでは、受け部材１０は上面に蓋を有する円筒形状をしているが、上面に蓋を有する箱形形状でも構わない。受け部材１０の水平断面形状は、アダプター４の水平断面形状とは異なってもよいが、アダプター４の水平断面形状と相似形であるのが好ましい。また、受け部材１０の側壁には、水平方向に穿たれた雌ねじ孔２５が側壁に上下に２個縦に配置されているが、３個以上の雌ねじ孔２５が縦方向及び／又は周方向に穿たれていても構わない。
【００４９】
さらに、ここでは、アダプター４の側壁に穿たれた孔２６と受け部材１０の側壁に穿たれた雌ねじ孔を貫くボルト２３は１本であり、そして、受け部材１０の側壁に穿たれた雌ねじ孔にのみ挿入して、アダプターの外面に締め付けるボルト２２も１本であるが、いずれも、１本に限定されるものではない。必要とされる回転防止と固定の程度によって、それぞれ、複数本のボルトを用いることができる。なお、アダプター４の側壁に穿たれた孔２６と受け部材１０の側壁に穿たれた雌ねじ孔を貫くボルト２３は、その先端がアダプター４の対面側のアダプター内面に届くまで、締め付けられることが好ましいが、必要とされる回転防止と固定の程度によっては、対面側のアダプター内面に届かなくてもよい。
【００５０】
図２に、図１に示す灯具取付金具を取り付けてなる照明柱に自動車が衝突したときの金属管柱の衝突前（実線）と衝突後（破線）の動きを示す。(a)が照明柱全体の側面図、(b)が照明柱の先端部分の上面である。
【００５１】
自動車３０が照明柱の下部に矢印の方向に衝突すると、照明柱を構成する金属管柱２の先端部分は矢印の衝突方向に振れる結果、金属管柱２の軸線と離れた灯具５に慣性力が働くが、灯具５を取り付ける受け部材１０をアダプター（図示せず）に対して固定することができるとともに回転を防止することができるので、受け部材が回転したり、脱落したりするおそれはなくなる。
【実施例２】
【００５２】
図３は、本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【００５３】
灯具取付金具１は、金属管柱２の上端部に形成される管状のアダプター４と、このアダプターの外面に嵌合することができる受け部材１０とからなる。
【００５４】
アダプター４は円管形状を有していて、スピニング加工により円管形状のアダプター４が、照明柱を構成する金属管柱２の先端に金属管柱２と一体に形成されている。このアダプター４の側壁には、水平方向に穿たれた孔２６が１個穿たれている。
【００５５】
受け部材１０は上面に蓋を有する円筒形状をしており、アダプター４の外面に上方から嵌合することができる外径を有する。この受け部材１０の側壁には、水平方向に穿たれた雌ねじ孔２５が側壁に上下に３個縦に配置されている。
【００５６】
そして、ここでは、上記アダプター４の側壁に穿たれた孔２６と上記受け部材１０の側壁に穿たれた雌ねじ孔２５とを位置合わせして、上記アダプター４の外面に上記受け部材１０を上方から嵌合させる。そして、上記アダプター４の側壁に穿たれた孔２６と、上記受け部材１０の側壁に穿たれた雌ねじ孔のうちの最も下側の孔２５を貫いてボルト２３を挿入し、ボルト２３の先がアダプター４の対面側のアダプター内面に届くまで、ボルト２３を締め付け、緩み止めナット２１を締め付けることによって、受け部材１０をアダプター４に固定する。さらに、上記受け部材１０の側壁に穿たれた雌ねじ孔のうちの上側の２つの孔２５にボルト２２をそれぞれ挿入し、アダプターの外面にボルト２２の先を締め付け、緩み止めナット２１を締め付けることによって、受け部材１０をアダプター４に固定する。なお、ここでは、受け部材１０をアダプター４に固定する際に、緩み止めナット２１を用いて締め付けているが、緩み止めナット２１は必要に応じて用いればよく、必ずしも緩み止めナット２１を用いなくてもよい。
【００５７】
このようにして、最も下側のボルト２３によって受け部材１０をアダプター４に固定するとともに回転を防止し、さらに、上側の２つのボルト２２によって受け部材１０をアダプター４に固定する。
【００５８】
なお、必要に応じて、灯具を固定するためのワイヤー４０の一端を、この下側のボルト２３に通して固定してもよい。
【００５９】
このように、アダプター４が金属管柱２の先端に金属管柱２と一体に形成されているから、大きな剛性が得られ、さらに大きな回転力がかかっても、灯具を取り付ける受け部材をアダプターに対して固定することができるとともに回転を防止することができるので、
自動車の衝突によって受け部材に回転力が作用しても、受け部材が回転したり、脱落したりするおそれはなくなる。また、受け部材に回転力が作用しても、ボルトの先端は変形しにくいため、ボルトの先端とアダプター外面の間に隙間ができにくくなる。さらに、道路を走行する自動車や地震等による振動があっても、ボルトは緩みにくいので、受け部材が回転したり、脱落したりするおそれはなくなる。
【００６０】
なお、アダプター４の側壁には、水平方向の孔２６が１個穿たれているが、２個以上の孔２６が縦方向及び／又は周方向に穿たれていても構わない。
【００６１】
また、ここでは、受け部材１０は上面に蓋を有する円筒形状をしているが、上面に蓋を有する箱形形状でも構わない。受け部材１０の水平断面形状は、アダプター４の水平断面形状とは異なってもよいが、アダプター４の水平断面形状と相似形であるのが好ましい。また、受け部材１０の側壁には、水平方向に穿たれた雌ねじ孔２５が側壁に上下に３個縦に配置されているが、うち１個は周方向に穿たれていても構わないし、４個以上の雌ねじ孔２５が縦方向及び／又は周方向に穿たれていても構わない。
【００６２】
さらに、ここでは、アダプター４の側壁に穿たれた孔２６と受け部材１０の側壁に穿たれた雌ねじ孔を貫くボルト２３は１本であり、そして、受け部材１０の側壁に穿たれた雌ねじ孔にのみ挿入して、アダプターの外面に締め付けるボルト２２は２本であるが、それぞれ、１本及び２本に限定されるものではない。必要とされる回転防止と固定の程度によって、アダプターの外面に締め付けるボルト２２は１本だけにすることができるし、あるいは、それぞれ、複数本のボルトを用いることができる。なお、アダプター４の側壁に穿たれた孔２６と受け部材１０の側壁に穿たれた雌ねじ孔を貫くボルト２３の先は、アダプター４の対面側のアダプター内面に届くまで、ボルト２３を締め付けられることが好ましいが、必要とされる回転防止と固定の程度によっては、対面側のアダプター内面に届かなくてもよい。
【００６３】
なお、図３に示す灯具取付金具を取り付けてなる照明柱に自動車が衝突したときも、時実施例の図２と同様に、灯具を取り付ける受け部材をアダプターに対して固定することができるとともに回転を防止することができるので、受け部材が回転したり、脱落するおそれはなくなる。
【実施例３】
【００６４】
図４は、本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【００６５】
灯具取付金具１は、金属管柱２の上端部に形成される管状のアダプター４と、このアダプターの外面に嵌合することができる受け部材１０とからなる。
【００６６】
この灯具取付金具１は、円管形状のアダプター４の側壁に穿たれた孔２５が上下に２個縦に配置されている点を除いて、実施例２と異なるところがない。
【００６７】
そして、ここでは、上記アダプター４の側壁に穿たれた孔２６と上記受け部材１０の側壁に穿たれた雌ねじ孔２５とを位置合わせして、上記アダプター４の外面に上記受け部材１０を上方から嵌合させる。そして、上記アダプター４の側壁に穿たれた下側の孔２６と、上記受け部材１０の側壁に穿たれた雌ねじ孔のうちの最も下側の孔２５を貫いてボルト２３を挿入し、さらに、上記アダプター４の側壁に穿たれた上側の孔２６と、上記受け部材１０の側壁に穿たれた雌ねじ孔のうちの最も上側の孔２５を貫いてボルト２３を挿入し、両方のボルト２３の先がアダプター４の対面側のアダプター内面に届くまで、両方のボルト２３を締め付け、緩み止めナット２１を締め付けることによって、受け部材１０をアダプター４に固定する。さらに、上記受け部材１０の側壁に穿たれた雌ねじ孔のうちの真ん中の孔２５にボルト２２を挿入し、アダプターの外面にボルト２２の先を締め付け、緩み止めナット２１を締め付けることによって、受け部材１０をアダプター４に固定する。なお、ここでは、受け部材１０をアダプター４に固定する際に、緩み止めナット２１を用いて締め付けているが、緩み止めナット２１は必要に応じて用いればよく、必ずしも緩み止めナット２１を用いなくてもよい。
【００６８】
このようにして、２つのボルト２３によって受け部材１０をアダプター４に固定するとともに回転を防止し、さらに、真ん中のボルト２２によって受け部材１０をアダプター４に固定する。
【００６９】
なお、必要に応じて、灯具を固定するためのワイヤー４０の一端を、この下側のボルト２３に通して固定してもよい。
【００７０】
ここでは、アダプター４が金属管柱２の先端に金属管柱２と一体に形成されているから、大きな剛性が得られ、さらに大きな回転力がかかっても、受け部材が回転したり、脱落したりするおそれはなくなる。
【００７１】
なお、アダプター４の側壁には、水平方向の孔２６が２個穿たれているが、３個以上の孔２６が縦方向及び／又は周方向に穿たれていても構わない。
【００７２】
また、ここでは、受け部材１０は上面に蓋を有する円筒形状をしているが、上面に蓋を有する箱形形状でも構わない。受け部材１０の水平断面形状は、アダプター４の水平断面形状とは異なってもよいが、アダプター４の水平断面形状と相似形であるのが好ましい。また、受け部材１０の側壁には、水平方向に穿たれた雌ねじ孔２５が側壁に上下に３個縦に配置されているが、うち１個は周方向に穿たれていても構わないし、４個以上の雌ねじ孔２５が縦方向及び／又は周方向に穿たれていても構わない。
【００７３】
さらに、ここでは、アダプター４の側壁に穿たれた孔２６と受け部材１０の側壁に穿たれた雌ねじ孔を貫くボルト２３は２本であり、そして、受け部材１０の側壁に穿たれた雌ねじ孔にのみ挿入して、アダプターの外面に締め付けるボルト２２は１本であるが、それぞれ、２本及び１本に限定されるものではない。必要とされる回転防止と固定の程度によって、アダプターの外面に締め付けるボルト２２は１本だけにすることができるし、あるいは、それぞれ、３本以上のボルトを用いることができる。なお、アダプター４の側壁に穿たれた孔２６と受け部材１０の側壁に穿たれた雌ねじ孔を貫くボルト２３の先は、アダプター４の対面側のアダプター内面に届くまで、ボルト２３を締め付けられることが好ましいが、必要とされる回転防止と固定の程度によっては、対面側のアダプター内面に届かなくてもよい。
【００７４】
なお、図４に示す灯具取付金具を取り付けてなる照明柱に自動車が衝突したときも、時実施例の図２と同様に、灯具を取り付ける受け部材をアダプターに対して固定することができるとともに回転を防止することができるので、受け部材が回転したり、脱落したりするおそれはなくなる。
【実施例４】
【００７５】
図５は、本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【００７６】
灯具取付金具１は、金属管柱２の上端部に形成される管状のアダプター４と、このアダプターの外面に嵌合することができる受け部材１０とからなる。
【００７７】
この灯具取付金具１は、円管形状のアダプター４の長さが短い点と、受け部材１０の側壁に穿たれた雌ねじ孔２５が斜めに２個に配置されている点を除いて、実施例２と異なるところがない。
【００７８】
そして、ここでは、上記アダプター４の側壁に穿たれた孔２６と上記受け部材１０の側壁に穿たれた左上側の雌ねじ孔２５とを位置合わせして、上記アダプター４の外面に上記受け部材１０を上方から嵌合させる。そして、上記アダプター４の側壁に穿たれた孔２６と上記受け部材１０の側壁に穿たれた左上側の雌ねじ孔２５を貫いてボルト２３を挿入し、ボルト２３の先がアダプター４の対面側のアダプター内面に届くまで、ボルト２３を締め付け、緩み止めナット２１を締め付けることによって、受け部材１０をアダプター４に固定する。さらに、上記受け部材１０の側壁に穿たれた右下側の雌ねじ孔２５にボルト２２を挿入し、アダプターの外面にボルト２２の先を締め付け、緩み止めナット２１を締め付けることによって、受け部材１０をアダプター４に固定する。なお、ここでは、受け部材１０をアダプター４に固定する際に、緩み止めナット２１を用いて締め付けているが、緩み止めナット２１は必要に応じて用いればよく、必ずしも緩み止めナット２１を用いなくてもよい。
【００７９】
このようにして、ボルト２３によって受け部材１０をアダプター４に固定するとともに回転を防止し、さらに、ボルト２２によって受け部材１０をアダプター４に固定する。
【００８０】
なお、必要に応じて、灯具を固定するためのワイヤー４０の一端を、この下側のボルト２３に通して固定してもよい。
【００８１】
ここでは、アダプター４が金属管柱２の先端に金属管柱２と一体に形成されているから、大きな剛性が得られ、さらに大きな回転力がかかっても、受け部材が回転したり、脱落したりするおそれはなくなる。
【００８２】
なお、アダプター４の側壁には、孔２６が１個穿たれているが、２個以上の孔２６が縦方向及び／又は周方向に穿たれていても構わない。
【００８３】
また、ここでは、受け部材１０は上面に蓋を有する円筒形状をしているが、上面に蓋を有する箱形形状でも構わない。受け部材１０の水平断面形状は、アダプター４の水平断面形状とは異なってもよいが、アダプター４の水平断面形状と相似形であるのが好ましい。また、受け部材１０の側壁には、水平方向に穿たれた雌ねじ孔２５が側壁に斜めに２個配置されているが、３個以上の雌ねじ孔２５が縦方向及び／又は周方向に穿たれていても構わない。
【００８４】
さらに、ここでは、アダプター４の側壁に穿たれた孔２６と受け部材１０の側壁に穿たれた雌ねじ孔２５を貫くボルト２３は１本であり、そして、受け部材１０の側壁に穿たれた雌ねじ孔にのみ挿入して、アダプターの外面に締め付けるボルト２２は１本であるが、それぞれ、１本に限定されるものではない。必要とされる回転防止と固定の程度によって、アダプターの外面に締め付けるボルト２２は２本以上のボルトを用いることができる。なお、アダプター４の側壁に穿たれた孔２６と受け部材１０の側壁に穿たれた雌ねじ孔を貫くボルト２３の先は、アダプター４の対面側のアダプター内面に届くまで、ボルト２３を締め付けられることが好ましいが、必要とされる回転防止と固定の程度によっては、対面側のアダプター内面に届かなくてもよい。
【００８５】
なお、図４に示す灯具取付金具を取り付けてなる照明柱に自動車が衝突したときも、時実施例の図２と同様に、灯具を取り付ける受け部材をアダプターに対して固定することができるとともに回転を防止することができるので、受け部材が回転したり、脱落したりするおそれはなくなる。
【産業上の利用可能性】
【００８６】
本発明によれば、灯具を取り付ける受け部材をアダプターに対して固定することができるとともに回転を防止することができる灯具取付部材及び照明柱を提供することができる。
【図面の簡単な説明】
【００８７】
【図１】本発明に係る灯具取付金具の一例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【図２】図１に示す灯具取付金具を取り付けてなる照明柱に自動車が衝突したときの金属管柱の衝突前（実線）と衝突後（破線）の動きを示す。(a)が照明柱全体の側面図、(b)が照明柱の先端部分の上面である。
【図３】本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【図４】本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【図５】本発明に係る灯具取付金具の他の例であり、(a)がアダプターの正面図であり、(b)が受け部材の正面図である。また、(c)と(d)は、このアダプターに受け部材を嵌合させ、ボルトで固定してなる灯具取付金具を示しており、それぞれ、(c)が正面図、そして、(d)が(c)のＡ−Ａ矢視の水平断面図（上面図）である。
【図６】箱状の受け部材をアダプターに固定するときの一例（従来例）であり、(a)が正面図、(b)が(a)のＡ−Ａ線の矢視の拡大垂直断面図（右側面図）、そして、(c)が(b)のＢ−Ｂ矢視の水平断面図（上面図）である。
【図７】自動車が照明柱に衝突したときの金属管柱の衝突前（実線）と衝突後（破線）の動きを示す。(a)が照明柱全体の側面図、(b)が照明柱の先端部分の上面である。
【符号の説明】
【００８８】
１  灯具取付金具
２  金属管柱
４  アダプター
５    灯具
１０  受け部材
２１  緩み止めナット
２２  ボルト（アダプター外面締め付け用）
２３  ボルト（アダプター内面締め付け用）
２５  受け部材の雌ねじ孔
２６  アダプターの孔
３０  自動車
４０  ワイヤー
Ｗ    溶接
【図１】
2008027723.tif 000003
【図２】
2008027723.tif 000004
【図３】
2008027723.tif 000005
【図４】
2008027723.tif 000006
【図５】
2008027723.tif 000007
【図６】
2008027723.tif 000008
【図７】
2008027723.tif 000009